(57)【要約】      （修正有）【課題】管状部材の支持構造を簡素に構成可能な水田作業機を提供する。【解決手段】水田作業機に、複数の条の夫々に対応して複数設けられると共に、薬剤供給装置からの薬剤を田面に向けて流下させる弾性変形可能な薬剤ホース２８と、複数の薬剤ホース２８の夫々に対応して複数設けられると共に、薬剤ホース２８を所定位置に案内支持するホースガイド３９と、複数のホースガイド３９の夫々に対応して複数設けられると共に、ホースガイド３９が取り付けられる取付け板４０と、が備えられている。取付け板４０は、ホースガイド３９を複数の平面位置に取付け可能な取付け部Ａを有している。【選択図】図６
2019170253.tif 000002
【特許請求の範囲】
【請求項１】
農用資材を田面に供給する供給装置が備えられた水田作業機であって、
複数の条の夫々に対応して複数設けられると共に、前記供給装置からの農用資材を田面に向けて流下させる弾性変形可能な管状部材と、
複数の前記管状部材の夫々に対応して複数設けられると共に、前記管状部材を所定位置に案内支持する案内支持部材と、
複数の前記案内支持部材の夫々に対応して複数設けられると共に、前記案内支持部材が取り付けられる取付け部材と、が備えられ、
前記取付け部材は、前記案内支持部材を複数の平面位置に取付け可能な取付け部を有している水田作業機。
【請求項２】
前記取付け部は、前記案内支持部材を差込み可能な複数の差込み孔によって構成されている請求項１に記載の水田作業機。
【請求項３】
前記案内支持部材は、前記取付け部材に上方又は下方から固定具によって固定され、
前記複数の差込み孔は、前記固定具を中心とする同一半径の円周上に位置している請求項２に記載の水田作業機。
【請求項４】
前記案内支持部材は、前記差込み孔に上方又は下方から差し込まれる差込み部を有し、
前記差込み部が前記差込み孔に差し込まれることにより、前記案内支持部材の前記固定具周りの回転が阻止されるように構成されている請求項３に記載の水田作業機。
【請求項５】
苗が載置される苗載せ台と、前記苗載せ台に載置された苗を取り出して田面に植え付ける植付けアームと、を有する苗植付け装置が備えられ、
前記供給装置は、前記植付けアームの上方に設けられ、
前記植付けアームの上方でかつ前記供給装置の下方に、前記供給装置用の泥除けカバーが設けられ、
前記取付け部材は、前記泥除けカバーを支持する支持部材に支持されている請求項１から４の何れか一項に記載の水田作業機。
【発明の詳細な説明】
【技術分野】
【０００１】
本発明は、農用資材を田面に供給する供給装置が備えられている水田作業機に関する。
【背景技術】
【０００２】
上記のような水田作業機として、例えば、特許文献１に記載の水田作業機が既に知られている。特許文献１には、農用資材を田面に供給する供給装置（文献では「薬剤供給装置〔１２〕」）が備えられている水田作業機が開示されている。特許文献１に記載の水田作業機には、複数の条の夫々に対応して複数設けられると共に、供給装置からの農用資材を田面に向けて流下させる弾性変形可能な管状部材（文献では「薬剤ホース〔３０〕」）が備えられている。
【先行技術文献】
【特許文献】
【０００３】
【特許文献１】特開２０１７−６０４４７号公報
【発明の概要】
【発明が解決しようとする課題】
【０００４】
特許文献１に記載の水田作業機では、複数の管状部材の夫々を所定位置に案内支持する必要があるが、管状部材の支持構造を簡素に構成する点で改善の余地がある。
【０００５】
上記状況に鑑み、管状部材の支持構造を簡素に構成可能な水田作業機が要望されている。
【課題を解決するための手段】
【０００６】
本発明の特徴は、農用資材を田面に供給する供給装置が備えられた水田作業機であって、複数の条の夫々に対応して複数設けられると共に、前記供給装置からの農用資材を田面に向けて流下させる弾性変形可能な管状部材と、複数の前記管状部材の夫々に対応して複数設けられると共に、前記管状部材を所定位置に案内支持する案内支持部材と、複数の前記案内支持部材の夫々に対応して複数設けられると共に、前記案内支持部材が取り付けられる取付け部材と、が備えられ、前記取付け部材は、前記案内支持部材を複数の平面位置に取付け可能な取付け部を有していることにある。
【０００７】
本特徴構成によれば、取付け部材が案内支持部材を複数の平面位置に取付け可能であるため、案内支持部材の取付け位置に応じて異なる種類の取付け部材を設けることなく、取付け部材を共通化することができる。すなわち、本特徴構成によれば、管状部材の支持構造を簡素に構成可能な水田作業機を実現することができる。
【０００８】
さらに、本発明において、前記取付け部は、前記案内支持部材を差込み可能な複数の差込み孔によって構成されていると好適である。
【０００９】
本特徴構成によれば、取付け部を複数の差込み孔によって簡素に構成することができる。
【００１０】
さらに、本発明において、前記案内支持部材は、前記取付け部材に上方又は下方から固定具によって固定され、前記複数の差込み孔は、前記固定具を中心とする同一半径の円周上に位置していると好適である。
【００１１】
本特徴構成によれば、案内支持部材を固定具周りに回転操作するだけで、案内支持部材を差し込む差込み孔を容易に変更することができる。
【００１２】
さらに、本発明において、前記案内支持部材は、前記差込み孔に上方又は下方から差し込まれる差込み部を有し、前記差込み部が前記差込み孔に差し込まれることにより、前記案内支持部材の前記固定具周りの回転が阻止されるように構成されていると好適である。
【００１３】
本特徴構成によれば、差込み部を差込み孔に差し込むだけで、案内支持部材の固定具周りの回転を阻止することができる。
【００１４】
さらに、本発明において、苗が載置される苗載せ台と、前記苗載せ台に載置された苗を取り出して田面に植え付ける植付けアームと、を有する苗植付け装置が備えられ、前記供給装置は、前記植付けアームの上方に設けられ、前記植付けアームの上方でかつ前記供給装置の下方に、前記供給装置用の泥除けカバーが設けられ、前記取付け部材は、前記泥除けカバーを支持する支持部材に支持されていると好適である。
【００１５】
本特徴構成によれば、植付けアームによって跳ね飛ばされた泥水等が供給装置にかからないようにすることができる。また、取付け部材用の支持部材として泥除けカバー用の支持部材を利用することができる。
【図面の簡単な説明】
【００１６】
【図１】乗用型田植機を示す左側面図である。
【図２】苗植付け装置を示す左側面図である。
【図３】薬剤供給装置を示す背面図である。
【図４】左側二つの薬剤供給ユニット及びその周辺構造を示す左側面図である。
【図５】右側二つの薬剤供給ユニット及びその周辺構造を示す左側面図である。
【図６】八条植型式の苗植付け装置におけるホースガイド及び取付け板の配置構造を示す平面図である。
【図７】取付け板を示す平面図である。
【図８】ホースガイドの取付け板への取付け構造を示す分解斜視図である。
【図９】別実施形態に係る図であり、六条植型式の苗植付け装置におけるホースガイド及び取付け板の配置構造を示す平面図である。
【発明を実施するための形態】
【００１７】
本発明を実施するための形態について、図面に基づき説明する。なお、以下の説明では、矢印Ｆの方向を「機体前側」（図１及び図２参照）、矢印Ｂの方向を「機体後側」（図１及び図２参照）、矢印Ｌの方向を「機体左側」（図３参照）、矢印Ｒの方向を「機体右側」（図３参照）とする。
【００１８】
〔乗用型田植機の全体構成〕
図１には、乗用型田植機（本発明に係る「水田作業機」に相当）を示している。本乗用型田植機には、左右一対の前輪１と、左右一対の後輪２と、機体フレーム３と、運転部４と、肥料を田面に供給する施肥装置５と、薬剤を田面に供給する薬剤供給装置６（本発明に係る「供給装置」に相当）と、苗を田面に植え付ける苗植付け装置７と、が備えられている。運転部４には、運転者が着座する運転座席８や操行操作用の操向ハンドル９が備えられている。
【００１９】
〔苗植付け装置〕
図１及び図２に示すように、苗植付け装置７は、機体フレーム３の後部にリンク機構１０を介して昇降可能に支持されている。本実施形態では、苗植付け装置７は、八条植型式の苗植付け装置によって構成されている。ただし、苗植付け装置７の植付け条数は、八条に限定されるものではない。苗植付け装置７には、八条分のマット状苗が載置される苗載せ台１１と、植付けアーム１２と、フィードケース１３と、植付け伝動ケース１４と、回転ケース１５と、フロート１６と、が備えられている。苗植付け装置７の下部には、機体左右方向に延びる横フレーム１７が設けられている。横フレーム１７には、フィードケース１３や植付け伝動ケース１４が支持されている。
【００２０】
苗載せ台１１は、機体左右方向に往復駆動可能に構成されている。苗載せ台１１の下部を機体左右方向に摺動案内可能に支持する摺動ガイドレール１８が設けられている。摺動ガイドレール１８には、苗載せ台１１上の苗が取り出される苗取出し口１８ａが形成されている。苗取出し口１８ａの上下位置を変更可能なように、苗載せ台１１及び摺動ガイドレール１８を上下方向にスライド移動可能に支持する支持部１９が機体左右方向に複数設けられている。
【００２１】
苗載せ台１１は、左二条分の苗載せ部をその他の苗載せ部（残り六条分の苗載せ部）から分離して、前記左二条分の苗載せ部を前記残り六条分の苗載せ部の左端側部分に重ね合わせた状態で格納可能に構成されている。苗載せ台１１の下端部には、前記残り六条分の苗載せ部の左端側部分に重ね合わせた状態の前記左二条分の苗載せ部を受止め支持する受止め支持具１１ａが、後方に向かって突出する状態で設けられている。
【００２２】
回転ケース１５は、植付け伝動ケース１４の後部の左右両側部の夫々に回転可能に支持されている。植付けアーム１２は、苗取出し口１８ａを通過して苗載せ台１１から苗を取り出して田面に植え付ける。植付けアーム１２は、回転ケース１５の両遊端部の夫々に回転可能に支持されている。フィードケース１３からのエンジン駆動力が植付け伝動ケース１４を介して回転ケース１５に伝達されることにより、回転ケース１５が回転駆動されて、植付けアーム１２による苗の植付けが行われる。
【００２３】
〔施肥装置〕
図１に示すように、施肥装置５には、粉粒体の肥料を貯留する肥料ホッパー２０と、肥料ホッパー２０内の肥料を繰り出す肥料繰出し部２１（本実施形態では、四つ）と、肥料繰出し部２１によって繰り出された肥料を搬送する搬送風を起こすブロア２２と、が備えられている。
【００２４】
各フロート１６の左右両側方の夫々には、田面に農用資材供給用の溝を形成する作溝器２３（本実施形態では、八つ）が設けられている。一の肥料繰出し部２１とこれに対応する左右一組の作溝器２３とに亘って、二本の施肥ホース２４が設けられている。施肥ホース２４は、複数の条の夫々に対応して複数（本実施形態では、八本）設けられている。施肥ホース２４は、施肥装置５からの肥料を田面に向けて流下させる弾性変形可能な管状部材（例えば、ゴムホース）である。施肥装置５では、肥料ホッパー２０内の肥料が肥料繰出し部２１によって所定量ずつ繰り出されて、ブロア２２の搬送風を受けながら施肥ホース２４によって田面に向けて流下されて、作溝器２３から田面上の溝に供給される。
【００２５】
〔薬剤供給装置〕
図２及び図３に示すように、薬剤供給装置６には、薬剤供給ユニット２５（本実施形態では、四つ）が備えられている。薬剤供給装置６は、植付けアーム１２の上方に設けられている。各薬剤供給ユニット２５には、粉粒体の薬剤を貯留する薬剤ホッパー２６と、薬剤ホッパー２６内の薬剤を繰り出す左右一対の薬剤繰出し部２７と、が備えられている。各薬剤繰出し部２７と各作溝器２３とに亘って、薬剤ホース２８（本発明に係る「管状部材」に相当）が設けられている。薬剤ホース２８は、複数の条の夫々に対応して複数（本実施形態では、八本）設けられている。薬剤ホース２８は、薬剤供給装置６からの薬剤を田面に向けて流下させる弾性変形可能な管状部材（例えば、ゴムホース）である。
【００２６】
薬剤供給装置６では、薬剤ホッパー２６内の薬剤が薬剤繰出し部２７によって所定量ずつ繰り出されて、薬剤ホース２８によって田面に向けて流下されて、作溝器２３から田面上の溝に供給される。その際、施肥装置５からの肥料と薬剤供給装置６からの薬剤とが合流して作溝器２３から田面上の溝に供給される。
【００２７】
図４には、四つの薬剤供給ユニット２５のうち左側二つの薬剤供給ユニット２５の支持構造を示している。左側二つの薬剤供給ユニット２５の支持構造として、植付け伝動ケース１４の後部から後方に向かって延びる後向きフレーム２９と、後向きフレーム２９の後端部から前斜め上方に向かって延びる上向きフレーム３０と、が備えられている。後向きフレーム２９の前端部は、ステー３１に連結されている。ステー３１は、植付け伝動ケース１４の後部に立設されている。上向きフレーム３０の上端部は、薬剤供給ユニット２５に連結されている。上向きフレーム３０は、その中間部で上下に分離可能に構成されており、上向きフレーム３０を中間部で上下に分離することにより、左側二つの薬剤供給ユニット２５を夫々取り外すことができる。
【００２８】
図５には、四つの薬剤供給ユニット２５のうち右側二つの薬剤供給ユニット２５の支持構造を示している。右側二つの薬剤供給ユニット２５の支持構造として、植付け伝動ケース１４の後部から上方に向かって延びる上向きフレーム３２が備えられている。上向きフレーム３２の上端部は、薬剤供給ユニット２５に連結されている。上向きフレーム３２の下端部は、ステー３１に連結されている。ステー３１は、植付け伝動ケース１４の後部に立設されている。
【００２９】
〔泥除けカバー〕
図４から図６に示すように、植付けアームによって跳ね飛ばされた泥土が薬剤供給装置６にかからないように、薬剤供給装置６用の泥除けカバー３３が、植付けアーム１２の上方でかつ薬剤供給装置６の下方に複数（本実施形態では、四つ）設けられている。各泥除けカバー３３を支持する支持フレーム３４（本発明に係る「支持部材」に相当）が設けられている。支持フレーム３４には、植付け伝動ケース１４（ステー３１）に連結されるステー３５と、泥除けカバー３３の前部を支持する前側支持ロッド３６と、泥除けカバー３３の後部を支持する後側支持ロッド３７と、前側支持ロッド３６と後側支持ロッド３７とに亘る連結ロッド３８と、が備えられている。
【００３０】
〔薬剤ホースの支持構造〕
図６から図８に示すように、薬剤ホース２８を所定位置に案内支持するホースガイド３９（本発明に係る「案内支持部材」に相当）が設けられている。本実施形態では、ホースガイド３９は、八本の薬剤ホース２８の夫々に対応して八つ設けられている。ホースガイド３９が取り付けられる取付け板４０（本発明に係る「取付け部材」に相当）が設けられている。本実施形態では、取付け板４０は、八つのホースガイド３９の夫々に対応して八つ設けられている。
【００３１】
ホースガイド３９は、取付け板４０から左前方又は右前方に向かって延び出る状態で取付け板４０に取り付けられている。ホースガイド３９は、取付け板４０に下方からボルト４１（本発明に係る「固定具」に相当）によって固定されている。取付け板４０には、ボルト４１が差し込まれるボルト孔が形成されている。取付け板４０は、泥除けカバー３３を支持する支持フレーム３４（具体的には、前側支持ロッド３６）に支持されている。取付け板４０は、前側支持ロッド３６の左右両側部分の夫々において、前側支持ロッド３６の下面にやや後上がりに傾斜する状態で固定されている。
【００３２】
取付け板４０には、ホースガイド３９を複数（本実施形態では、四つ）の平面位置に取付け可能な取付け部Ａが備えられている。本実施形態では、取付け部Ａは、ホースガイド３９を差込み可能な複数（本実施形態では、四つ）の差込み孔４０ａ、４０ｂ、４０ｃ、４０ｄによって構成されている。差込み孔４０ａ、４０ｂ、４０ｃ、４０ｄは、丸孔であり、ボルト４１（前記ボルト孔の中心Ｚ１）を中心とする同一半径の円周Ｃ上に位置している。取付け板４０の上面のうち前記ボルト孔に対応する部分には、ボルト４１用のナット４２（溶接ナット）が設けられている。
【００３３】
ホースガイド３９は、円形断面を有する線状部材が曲げられて構成されている。ホースガイド３９には、外嵌部３９ａと、差込み部３９ｂと、固定部３９ｃと、が備えられている。外嵌部３９ａは、薬剤ホース２８に外嵌する状態で取り付けられている。差込み部３９ｂは、差込み孔４０ａ、４０ｂ、４０ｃ、４０ｄに下方から差し込まれている。固定部３９ｃは、取付け板４０に下方からボルト４１によって固定されている。差込み部３９ｂが差込み孔４０ａ、４０ｂ、４０ｃ、４０ｄに差し込まれることにより、ホースガイド３９のボルト４１（前記ボルト孔の中心Ｚ１）周りの回転が阻止される。
【００３４】
図６には、八条植型式の苗植付け装置７におけるホースガイド３９及び取付け板４０の配置構造を示している。左一条目のホースガイド３９の差込み部３９ｂは、差込み孔４０ｃに差し込まれている。左二条目のホースガイド３９の差込み部３９ｂは、差込み孔４０ｄに差し込まれている。左三条目のホースガイド３９の差込み部３９ｂは、差込み孔４０ａに差し込まれている。左四条目のホースガイド３９の差込み部３９ｂは、差込み孔４０ｃに差し込まれている。左五条目のホースガイド３９の差込み部３９ｂは、差込み孔４０ｂに差し込まれている。左六条目のホースガイド３９の差込み部３９ｂは、差込み孔４０ｃに差し込まれている。左七条目のホースガイド３９の差込み部３９ｂは、差込み孔４０ｂに差し込まれている。左八条目のホースガイド３９の差込み部３９ｂは、差込み孔４０ｂに差し込まれている。
【００３５】
ここで、左二条目及び左三条目のホースガイド３９の外嵌部３９ａは、他のホースガイド３９の外嵌部３９ａよりも後側に位置している。これは、上述のように、苗載せ台１１の下端部に受止め支持具１１ａが後方に向かって突出する状態で設けられているところ、苗載せ台１１が機体左右方向に往復駆動する際に、受止め支持具１１ａが左二条目及び左三条目の薬剤ホース２８と干渉しないようにするためである。
【００３６】
〔別実施形態〕
（１）上記実施形態では、苗植付け装置７が八条植型式の苗植付け装置によって構成されている。しかし、これに代えて、苗植付け装置７が六条植型式の苗植付け装置によって構成されていてもよい。
【００３７】
図９には、六条植型式の苗植付け装置７におけるホースガイド３９及び取付け板４０の配置構造を示している。左一条目のホースガイド３９の差込み部３９ｂは、差込み孔４０ｃに差し込まれている。左二条目のホースガイド３９の差込み部３９ｂは、差込み孔４０ｂに差し込まれている。左三条目のホースガイド３９の差込み部３９ｂは、差込み孔４０ｃに差し込まれている。左四条目のホースガイド３９の差込み部３９ｂは、差込み孔４０ｂに差し込まれている。左五条目のホースガイド３９の差込み部３９ｂは、差込み孔４０ｃに差し込まれている。左六条目のホースガイド３９の差込み部３９ｂは、差込み孔４０ｂに差し込まれている。
【００３８】
（２）上記実施形態では、差込み孔４０ａ、４０ｂ、４０ｃ、４０ｄの数が四つである。しかし、これに代えて、差込み孔の数が二つあるいは三つあるいは五つ以上であってもよい。
【００３９】
（３）上記実施形態では、本発明に係る「案内支持部材」が円形断面を有する線状部材（ホースガイド３９）によって構成されている。しかし、本発明に係る「案内支持部材」が角型断面を有する部材によって構成されていてもよい。
【００４０】
（４）上記実施形態では、ホースガイド３９が取付け板４０に下方からボルト４１によって固定されている。しかし、これに代えて、ホースガイド３９が取付け板４０に上方からボルト４１によって固定されていてもよい。
【００４１】
（５）上記実施形態では、差込み部３９ｂが差込み孔４０ａ、４０ｂ、４０ｃ、４０ｄに下方から差し込まれている。しかし、これに代えて、差込み部３９ｂが差込み孔４０ａ、４０ｂ、４０ｃ、４０ｄに上方から差し込まれていてもよい。
【００４２】
（６）上記実施形態では、本発明に係る「取付け部」が丸孔（差込み孔４０ａ、４０ｂ、４０ｃ、４０ｄ）によって構成されている。しかし、これに代えて、本発明に係る「取付け部」が円弧形状の長孔（前記ボルト孔の中心Ｚ１を中心とする同一半径の円周Ｃ上に位置する長孔）によって構成されていてもよい。
【００４３】
（７）上記実施形態では、本発明に係る「案内支持部材」が薬剤ホース２８を所定位置に案内支持するホースガイド３９である。しかし、これに代えて、本発明に係る「案内支持部材」が施肥ホース２４を所定位置に案内支持するホースガイドであってもよい。
【００４４】
なお、本発明は、上記実施形態及び上記別実施形態に限定されるものではなく、その他種々の変更が可能である。
【産業上の利用可能性】
【００４５】
本発明は、乗用型田植機の他、播種機にも利用可能である。
【符号の説明】
【００４６】
６  薬剤供給装置（供給装置）
７  苗植付け装置
１１  苗載せ台
１２  植付けアーム
２８  薬剤ホース（管状部材）
３３  泥除けカバー
３４  支持フレーム（支持部材）
３９  ホースガイド（案内支持部材）
３９ｂ  差込み部
４０  取付け板（取付け部材）
４０ａ  差込み孔
４０ｂ  差込み孔
４０ｃ  差込み孔
４０ｄ  差込み孔
４１  ボルト（固定具）
Ａ  取付け部
Ｃ  円周
【図１】
2019170253.tif 000003
【図２】
2019170253.tif 000004
【図３】
2019170253.tif 000005
【図４】
2019170253.tif 000006
【図５】
2019170253.tif 000007
【図６】
2019170253.tif 000008
【図７】
2019170253.tif 000009
【図８】
2019170253.tif 000010
【図９】
2019170253.tif 000011